(57)【特許請求の範囲】
【請求項１】
上り送信電力を制御するユーザ端末であって、
送信電力制御（ＴＰＣ）コマンドを受信する受信部と、
前記ＴＰＣコマンドの累積値に基づいて、上り送信電力を制御する制御部と、を具備し、
無線フレーム内の各サブフレームが複数のサブフレームセットに分けられる場合、前記制御部は、サブフレームセット毎にＴＰＣコマンドの累積値を算出し、サブフレームセット毎にＴＰＣコマンドの累積値のリセットを制御し、
前記制御部は、サブフレームセット毎に異なるリセット条件を適用することを特徴とするユーザ端末。
【請求項２】
前記複数のサブフレームセットは、第１サブフレームセット及び第２サブフレームセットの２つに分けられることを特徴とする請求項１に記載のユーザ端末。
【請求項３】
前記上り送信電力は、上り共有チャネルの送信電力であることを特徴とする請求項１又は請求項２に記載のユーザ端末。
【請求項４】
ユーザ端末において上り送信電力の制御に用いられる送信電力制御（ＴＰＣ）コマンドを生成する生成部と、
前記ＴＰＣコマンドを前記ユーザ端末に送信する送信部と、を具備し、
無線フレーム内の各サブフレームが複数のサブフレームセットに分けられる場合、ユーザ端末においてサブフレームセット毎にＴＰＣコマンドの累積値が算出されると共に、サブフレームセット毎にＴＰＣコマンドの累積値がリセットされ、
サブフレームセット毎に異なるリセット条件が適用されることを特徴とする無線基地局。
【請求項５】
前記複数のサブフレームセットは、第１サブフレームセット及び第２サブフレームセットの２つに分けられることを特徴とする請求項４に記載の無線基地局。
【請求項６】
前記上り送信電力は、上り共有チャネルの送信電力であることを特徴とする請求項４又は請求項５に記載の無線基地局。
【請求項７】
ユーザ端末の上り送信電力の制御に用いられる無線通信方法であって、
送信電力制御（ＴＰＣ）コマンドを受信する工程と、
前記ＴＰＣコマンドの累積値に基づいて、上り送信電力を制御する工程と、を具備し、
無線フレーム内の各サブフレームが複数のサブフレームセットに分けられる場合、前記ユーザ端末は、サブフレームセット毎にＴＰＣコマンドの累積値を算出し、サブフレームセット毎にＴＰＣコマンドの累積値のリセットを制御し、
サブフレームセット毎に異なるリセット条件を適用することを特徴とする無線通信方法。
【請求項８】
前記複数のサブフレームセットは、第１サブフレームセット及び第２サブフレームセットの２つに分けられることを特徴とする請求項７に記載の無線通信方法。
【請求項９】
前記上り送信電力は、上り共有チャネルの送信電力であることを特徴とする請求項７又は請求項８に記載の無線通信方法。
【請求項１０】
上り送信電力を制御する無線通信システムであって、
ユーザ端末は、
送信電力制御（ＴＰＣ）コマンドを受信する受信部と、
前記ＴＰＣコマンドの累積値に基づいて、上り送信電力を制御する制御部と、を具備し、
無線フレーム内の各サブフレームが複数のサブフレームセットに分けられる場合、前記制御部は、サブフレームセット毎にＴＰＣコマンドの累積値を算出し、サブフレームセット毎にＴＰＣコマンドの累積値のリセットを制御し、
サブフレームセット毎に異なるリセット条件を適用することを特徴とする無線通信システム。
【発明の詳細な説明】
【技術分野】
【０００１】
本発明は、次世代の通信システムにおける上り送信電力制御に関する。
【背景技術】
【０００２】
現在、３ＧＰＰでは、ＬＴＥ（Long  Term  Evolution）（ＬＴＥ  Ｒｅｌｅａｓｅ８（Ｒｅｌ．８）ともいう）の発展型システムであるＬＴＥ−Ａｄｖａｎｃｅｄ（ＬＴＥ  Ｒｅｌｅａｓｅ１０（Ｒｅｌ．１０）以降の仕様を総称して「ＬＴＥ−Ａ」ともいう）の標準化が進められている。
【０００３】
ＬＴＥ、ＬＴＥ−Ａなどの無線通信システム（ＬＴＥ  Ｒｅｌ．８−１１）では、開ループ制御と閉ループ制御との双方を用いた上り送信電力制御が導入されている（例えば、非特許文献１）。開ループ制御は、ユーザ端末と無線基地局との間の伝搬損失（path  loss）を補償するために、ユーザ端末によって算出されるパスロスと、無線基地局から準静的（semi-static）にユーザ端末に通知されるパラメータとに基づいて行われる。例えば、当該パラメータは、ＲＲＣ（Radio  Resource  Control）シグナリングなどの上位レイヤシグナリングにより、ユーザ端末に通知される。
【０００４】
一方、閉ループ制御は、無線基地局における上り共有チャネル（ＰＵＳＣＨ：Physical  Uplink  Shared  Channel）や上り制御チャネル（ＰＵＣＣＨ：Physical  Uplink  Control  Channel）の受信品質を維持するために、無線基地局から動的（dynamic）にユーザ端末に通知されるＴＰＣ（Transmission  Power  Control）コマンドに基づいて行われる。ＴＰＣコマンドは、送信電力の増減値を示し、例えば、下り制御チャネル（ＰＤＣＣＨ：Physical  Downlink  Control  ChannelやＥＰＤＣＣＨ：Enhanced  Physical  Downlink  Control  Channel）により送信される下り制御情報（ＤＣＩ：Downlink Control Information）に含まれる。
【先行技術文献】
【非特許文献】
【０００５】
【非特許文献１】3GPP  TS  36.213  v11.3.0“Evolved  Universal  Terrestrial  Radio  Access  (E-UTRA)  , Physical layer procedures”
【発明の概要】
【発明が解決しようとする課題】
【０００６】
上述の閉ループ制御では、ＴＰＣコマンドが示す送信電力の増減値を累積して（accumulate）得られる累積値（以下、ＴＰＣコマンド累積値という）を用いる累積モードを適用できる。累積モードでは、ＴＰＣコマンド累積値を用いることで、ユーザ端末の送信電力を適切に制御できる。
【０００７】
しかしながら、累積モードでは、無線基地局とユーザ端末との間でＴＰＣコマンド累積値の認識が一致しなくなることが想定される。ユーザ端末の送信電力が上限値である場合、ユーザ端末は、受信したＴＰＣコマンドが示す増減値を累積しないが、無線基地局は、このことを認識できないためである。また、ユーザ端末が、ＴＰＣコマンドを含むＤＣＩを受信できない場合、ユーザ端末は、当該ＴＰＣコマンドが示す増減値を累積しないが、無線基地局は、このことを認識できないためである。
【０００８】
このように、無線基地局とユーザ端末との間でＴＰＣコマンド累積値の認識が一致しなくなる場合、無線基地局側でユーザ端末の余剰送信電力を適切に把握できないことから、無線基地局がユーザ端末の送信電力や無線リソース割り当てを適切に制御できない恐れがある。そこで、ユーザ端末におけるＴＰＣコマンド累積値を柔軟にリセットする（初期値に戻す）ことで、上記ＴＰＣコマンド累積値の認識の不一致を解消させることが望まれている。
【０００９】
本発明はかかる点に鑑みてなされたものであり、無線基地局とユーザ端末との間におけるＴＰＣコマンド累積値の認識の不一致を簡便に解消可能なユーザ端末、無線基地局及び無線通信方法を提供することを目的とする。
【課題を解決するための手段】
【００１０】
本発明のユーザ端末は、上り送信電力を制御するユーザ端末であって、送信電力制御（ＴＰＣ）コマンドを受信する受信部と、前記ＴＰＣコマンドの累積値に基づいて、上り送信電力を制御する制御部と、を具備し、無線フレーム内の各サブフレームが複数のサブフレームセットに分けられる場合、前記制御部は、サブフレームセット毎にＴＰＣコマンドの累積値を算出し、サブフレームセット毎にＴＰＣコマンドの累積値のリセットを制御し、前記制御部は、サブフレームセット毎に異なるリセット条件を適用することを特徴とする。
【発明の効果】
【００１１】
本発明によれば、無線基地局とユーザ端末との間におけるＴＰＣコマンド累積値の認識の不一致を簡便に解消できる。
【図面の簡単な説明】
【００１２】
【図１】上り送信電力制御の概念図である。
【図２】ＴＰＣコマンドの一例の説明図である。
【図３】キャリアアグリゲーション（ＣＡ）を用いた上り送信の説明図である。
【図４】ＴＰＣコマンド累積値のリセットの一例の説明図である。
【図５】第１態様に係るＴＰＣコマンド累積値のリセット例の説明図である。
【図６】ＴＡコマンドが示す送信タイミング値の説明図である。
【図７】ＴＤＤ方式におけるＵＬ−ＤＬ構成の説明図である。
【図８】ＴＤＤ方式における固定サブフレームとフレキシブルサブフレームとの説明図である。
【図９】ダイナミックＴＤＤにおけるセル間干渉の説明図である。
【図１０】サブフレームセット毎の送信電力制御の説明図である。
【図１１】第３態様に係るＴＰＣコマンド累積値のリセット例の説明図である。
【図１２】第３態様に係るＴＰＣコマンド累積値の他のリセット例の説明図である。
【図１３】本実施の形態に係る無線通信システムの一例を示す概略図である。
【図１４】本実施の形態に係る無線基地局の全体構成の説明図である。
【図１５】本実施の形態に係るユーザ端末の全体構成の説明図である。
【図１６】本実施の形態に係る無線基地局の詳細構成の説明図である。
【図１７】本実施の形態に係るユーザ端末の詳細構成の説明図である。
【発明を実施するための形態】
【００１３】
図１は、上り送信電力制御の概念図である。図１に示すように、ユーザ端末（ＵＥ：User  Equipment）の送信電力は、無線基地局（ｅＮＢ：eNodeB）とユーザ端末との間の伝搬ロスを補償する開ループ制御と閉ループ制御との双方を用いて制御される。例えば、上り共有チャネル（ＰＵＳＣＨ）の送信電力は、下記式（１）によって与えられる。
【数１】
0005980241.tif 000002
【００１４】
上記式（１）において、ｉは、サブフレームを示すインデックスである。ｊは、スケジューリング種別を示すインデックスである。ＰＣＭＡＸ,ｃ（ｉ）は、ユーザ端末の許容最大送信電力である。ＭＰＵＳＣＨ,ｃ（ｉ）は、ユーザ端末に割り当てられる帯域幅である。ＰＯ＿ＰＵＳＣＨ,ｃ（ｊ）は、送信電力オフセットであり、無線基地局におけるターゲット受信電力（所望受信電力）を満たすために用いられる。ΔＴＦ，ｃ（ｉ）は、ＭＣＳ（Modulation  and  Coding  Scheme）に依存するオフセットである。
【００１５】
また、上記式（１）において、ＰＬｃは、ユーザ端末が下り参照信号の受信電力（例えば、ＲＳＲＰ：Reference  Signal  Received  Power）から算出する伝搬損失である。αｃ（ｊ）は、伝搬損失を補償するための所定係数である。αｃ（ｊ）は、ＲＲＣシグナリングなどの上位レイヤシグナリングにより、無線基地局からユーザ端末に通知される。ＰＬｃ及びαｃ（ｊ）に基づいて、開ループ制御が行われる。
【００１６】
また、上記式（１）において、ｆｃ（ｉ）は、ＴＰＣコマンドに基づいて決定される送信電力の増減値である。無線基地局は、上り信号の受信品質（例えば、ＲＳＲＱ：Reference  Signal  Received  Quality）を測定し、測定結果に基づいてＴＰＣコマンドを決定する。ＴＰＣコマンドは、下り制御チャネル（ＰＤＣＣＨやＥＰＤＣＣＨ）（Ｌ１／Ｌ２制御信号などともいう）により送信されるＤＣＩに含まれる。
【００１７】
例えば、上り共有チャネル（ＰＵＳＣＨ）の送信電力を制御する場合、ＰＵＳＣＨの割り当て情報（ＵＬ  grant）（ＤＣＩフォーマット０／４などともいう）に含まれる２ビットのＴＰＣコマンドが用いられる。或いは、ＤＣＩフォーマット３／３Ａに含まれる１−２ビットのユーザ端末固有（自端末向け）のＴＰＣコマンドが用いられてもよい。
【００１８】
また、上り制御チャネル（ＰＵＣＣＨ）の送信電力を制御する場合、下り共有チャネル（ＰＤＳＣＨ：Physical  Downlink  Shared  Channel）の割り当て情報（ＤＬ assignment）（ＤＣＩフォーマット１／１Ａ／１Ｂ／１Ｃ／２Ａ／２Ｂ／２Ｃ／２Ｄなどともいう）に含まれる２ビットのＴＰＣコマンドが用いられる。或いは、ＤＣＩフォーマット３／３Ａに含まれる１−２ビットのユーザ端末固有（自端末向け）のＴＰＣコマンドが用いられてもよい。
【００１９】
このように、無線基地局からユーザ端末に動的に通知されるＴＰＣコマンドを用いて、閉ループ制御が行われる。具体的には、累積モードでは、上記式（１）のｆｃ（ｉ）は、下記式（２）によって与えられる。
【数２】
0005980241.tif 000003
【００２０】
式（２）において、δＰＵＳＣＨ，ｃ（ｉ−ＫＰＵＳＣＨ）は、サブフレーム（ｉ−ＫＰＵＳＣＨ）のＤＣＩに含まれるＴＰＣコマンドが示す送信電力の増減値（累積される値）である。式（２）では、サブフレームｉにおけるＴＰＣコマンド累積値ｆｃ（ｉ）が、サブフレーム（ｉ−１）におけるＴＰＣコマンド累積値ｆｃ（ｉ−１）と上記ＴＰＣコマンドが示す増減値δＰＵＳＣＨ，ｃ（ｉ−ＫＰＵＳＣＨ）とに基づいて算出される。
【００２１】
図２は、ＴＰＣコマンドの一例の説明図である。図２に示すように、ＴＰＣコマンドは、送信電力の増減値（累積される値）を示す。例えば、ＤＣＩフォーマット０／３／４に含まれる２ビットのＴＰＣコマンドは、４種類の増減値（−１，０，１，３）を示す。一方、ＤＣＩフォーマット３ａに含まれる１ビットのＴＰＣコマンドは、２種類の増減値（−１，１）を示す。
【００２２】
このように、累積モードにおいて、式（１）のｆｃ（ｉ）は、サブフレームｉにおけるＴＰＣコマンド累積値である。この累積モードでは、上述のように、無線基地局とユーザ端末との間でＴＰＣコマンド累積値の認識が一致しなくなることが想定される。そこで、所定のリセット条件が満たされる場合に、ユーザ端末におけるＴＰＣコマンド累積値をリセットする（初期値に戻す）ことで、ＴＰＣコマンド累積値の認識の不一致を解消させることが検討されている。ここで、ＴＰＣコマンド累積値をリセットする（初期値に戻す）とは、無線基地局とユーザ端末であらかじめ取り決められた値に置き換えることを意味する。前記値としては、例えばｆｃ（ｉ）をゼロで置き換えたり、ランダムアクセス手順直後の値で置き換えるなどがあり得る。また、例えば、リセット条件としては、以下の第１リセット条件又は第２リセット条件を用いることが検討されている。
【００２３】
＜第１リセット条件＞
第１リセット条件は、送信電力オフセット（例えば、ＰＵＳＣＨの場合、上記式（１）のＰＯ＿ＰＵＳＣＨ,ｃ、ＰＵＣＣＨの場合、ＰＯ＿ＵＥ＿ＰＵＣＣＨ）の値を変更するように上位レイヤによって指示される場合に、満たされる。
【００２４】
上記第１リセット条件では、無線基地局におけるターゲット受信電力に変更がなくても、ＴＰＣコマンド累積値をリセットするために、送信電力オフセット（ＰＯ＿ＰＵＳＣＨ,ｃ、ＰＯ＿ＵＥ＿ＰＵＣＣＨ）の値を変更する必要がある。また、上記第１リセット条件では、無線基地局とユーザ端末との間でＲＲＣ再構成（RRC reconfiguration）が行われるため、通信に制約が生じる恐れがある。具体的には、無線基地局は、ユーザ端末がＲＲＣ再構成中のどのタイミングで送信電力オフセットの値を変更するかを認識できないため、ユーザ端末に対して、送信用の無線リソースをフルに割り当てできない恐れがある。
【００２５】
＜第２リセット条件＞
第２リセット条件は、送信電力制御の対象セル（例えば、ＰＵＳＣＨの場合、サービングセル、ＰＵＣＣＨの場合、プライマリセル）のランダムアクセス応答をユーザ端末が受信する場合に、満たされる。
【００２６】
上記第２リセット条件では、同期ずれなどが生じていなくても、ＴＰＣコマンド累積値をリセットするために、ランダムアクセス手順（Random  Access  Channel（ＲＡＣＨ）  procedure）を行う必要がある。ランダムアクセス手順において、ユーザ端末は、無線基地局に対して、ランダムアクセスプリアンブルを送信し、無線基地局が、ユーザ端末に対して、ランダムアクセス応答を送信する。このランダムアクセス手順では、ユーザ端末は、ＣＱＩ（Channel  Quality  Indicator）リソースやＳＲ（Scheduling  Request）リソースを一旦解放する。このため、無線基地局は、ユーザ端末の詳細な状態を把握できなくなり、適切なスケジューリングを迅速に再開できず、通信に制約が生じる恐れがある。
【００２７】
以上のように、上記第１及び第２リセット条件では、オーバヘッドが増加したり、通信に制約が生じたりするため、ＴＰＣコマンド累積値を柔軟にリセットできない恐れがある。そこで、本発明者らは、ＴＰＣコマンド累積値の認識の不一致を解消させるために、ＴＰＣコマンド累積値をより簡便にリセット可能な無線通信方法を検討し、本発明に至った。
【００２８】
（第１態様）
図３−５を参照し、第１態様に係る無線通信方法を説明する。第１態様に係る無線通信方法では、ユーザ端末が複数のセルにおいて上り送信を行う場合に、当該複数のセルそれぞれのＴＰＣコマンド累積値をより簡便にリセット可能とする。
【００２９】
図３は、キャリアアグリゲーション（ＣＡ）を用いた上り送信の説明図である。図３Ａでは、Ｒｅｌ．１０のＣＡを用いた上り送信の一例が示される。図３Ｂでは、Ｒｅｌ．１１のＣＡを用いた上り送信の一例が示される。なお、図３Ａ及び３Ｂにおいて、セルとは、所定の周波数帯域（例えば、２０ＭＨｚ）であり、コンポーネントキャリア（ＣＣ）、キャリア等と呼ばれてもよい。また、セルには、コネクションの確立に用いられるＰセル（PCell：Primary  Cell）と、コネクションの確立後に副次的に設けられる少なくとも一つのＳセル（SCell：Secondary  Cell）とが含まれる。
【００３０】
図３Ａに示すように、Ｒｅｌ．１０のＣＡでは、単一の送信ポイント（無線基地局）に設けられる複数のセルが統合され、当該複数のセルにおいて同一のタイミングで上り送信が行われる環境での運用が想定されていた。図３Ａでは、上り送信電力制御はセル毎に行われるため、上記ＴＰＣコマンド累積値は各セルについてリセットされる必要がある。
【００３１】
一方で、Ｒｅｌ．１０のＣＡでは、ランダムアクセス手順は、Ｐセルで行われるが、Ｓセルでは行われない。これは、ＣＡで設定されるセルの数に関わらず、同一のタイミングで上り送信が行われることが想定されたためである。このため、Ｓセルでは、上記第２リセット条件を用いることができず、上記第１リセット条件を用いてＴＰＣコマンド累積値をリセットするために、送信電力オフセット（ＰＯ＿ＰＵＳＣＨ,ｃ、ＰＯ＿ＵＥ＿ＰＵＣＣＨ）の値を変更する必要がある。
【００３２】
また、図３Ｂに示すように、Ｒｅｌ．１１のＣＡでは、複数の送信ポイント（無線基地局）にそれぞれ設けられる少なくとも一つのセルが統合される環境での運用が想定された。なお、複数の送信ポイントは、例えば、相対的に大きいカバレッジのマクロセルを形成する無線基地局（以下、マクロ基地局（MeNB）という）と、相対的に小さいカバレッジのスモールセルを形成する無線基地局（以下、スモール基地局（SeNB）という）とを含んでもよい。
【００３３】
したがって、Ｒｅｌ．１１のＣＡでは、複数の異なる送信ポイントで上りリンクの受信を行えるようにするために、ＭＴＡ（Multiple  Timing  Advance）が導入されている。ＭＴＡとは、ＣＡが設定されたセル間で、上りの送信タイミング（ＴＡ：Timing  Advance）を異なる値に設定することをいう。同一の送信タイミングが用いられる少なくとも一つのセルは、グループ化され、ＴＡグループ（ＴＡＧ：Timing  Advance  Group）とも呼ばれる。なお、ＭＴＡにおいて、異なる値のＴＡは、異なる送信ポイントのセルで設定されてもよい。
【００３４】
例えば、図３Ｂでは、マクロ基地局に設けられる３つのセルとスモール基地局に設けられる２つのセルとがそれぞれグループ化され、ｐＴＡＧ（primary  ＴＡＧ）とｓＴＡＧ（secondary  ＴＡＧ）と規定される。Ｐセルを含むｐＴＡＧでは、Ｓセルの送信タイミングが、Ｐセルの送信タイミングと同一に設定される。一方、Ｐセルを含まない（Ｓセルだけを含む）ｓＴＡＧでは、全てのＳセルの送信タイミングが同一に設定される。
【００３５】
また、Ｒｅｌ．１１のＣＡでは、ランダムアクセス手順は、Ｐセルだけでなく、Ｓセルでも行うことが可能である。このため、図３Ｂにおいては、ランダムアクセス手順は、マクロ基地局に設けられるｐＴＡＧのＰセルと、スモール基地局に設けられるｓＴＡＧのいずれかのＳセルで行われることになる。このように、ユーザ端末は各送信ポイントとの間でランダムアクセス手順を行うことにより、ユーザ端末と各送信ポイントとの同期ずれを防止できる。
【００３６】
このように、Ｒｅｌ．１１のＣＡでは、同一送信ポイントの少なくとも一つのセルは、同一のＴＡＧに設定される可能性が高い。このため、ＴＡＧのいずれかのセルでランダムアクセス手順が行われると、当該ＴＡＧ内の全セルの送信タイミングが再設定されることになる。一方、ＴＰＣコマンド累積値は、ランダムアクセス手順が行われたセルでしかリセットされない。
【００３７】
このため、図４に示すように、各ＴＡＧ内の全セルのＴＰＣコマンド累積値をリセットするためには、ＴＡＧ内の各セルについて、上記第１リセット条件に基づいて送信電力オフセット（ＰＯ＿ＰＵＳＣＨ,ｃ、ＰＯ＿ＵＥ＿ＰＵＣＣＨ）の値を変更するか、上記第２リセット条件に基づいてランダムアクセス手順を行う必要がある。このため、ＴＡＧ内の全セルのＴＰＣコマンド累積値をリセットするために、煩雑な（無駄な）手順が必要になったり、多くの時間がかかったりするという問題点があった。
【００３８】
そこで、本発明者らは、グループ化された複数のセルのＴＰＣコマンド累積値をまとめてリセットすることで、当該複数のセルのＴＰＣコマンド累積値のリセット処理の簡略化し、処理時間を短縮するという着想を得た。
【００３９】
第１態様に係る無線通信方法において、ユーザ端末は、グループ化された複数のセルそれぞれのＴＰＣコマンドを受信する。また、ユーザ端末は、当該ＴＰＣコマンドが示す増減値を累積したＴＰＣコマンド累積値に基づいて、当該複数のセルそれぞれの上りチャネルの送信電力を制御する。また、ユーザ端末は、グループ化された複数のセルのいずれかのセルにおいてリセット条件が満たされる場合、当該複数のセル全てのＴＰＣコマンド累積値をリセットする。
【００４０】
ここで、複数のセルは、タイミングアドバンスグループ（ＴＡＧ）でグループ化されてもよい。上述のように、ＴＡＧは、同一の送信タイミング（ＴＡ）が用いられる複数のセルで構成される。このＴＡＧは、同一の無線基地局の複数のセルで構成されてもよい。なお、Ｐセルを含むＴＡＧはｐＴＡＧと呼ばれ、Ｐセルを含まないＴＡＧはｓＴＡＧと呼ばれてもよい。
【００４１】
或いは、複数のセルは、デュアルコネクティビティ（ＤＣ：Dual  Connectivity）のセルグループ（ＣＧ）でグループ化されてもよい。デュアルコネクティビティとは、ユーザ端末が複数の無線基地局と同時に接続して通信を行うことであり、基地局間キャリアアグリゲーション（Inter-eNB  CA、またはInter-site  CAなど）とも呼ばれる。ＣＧは、同一の無線基地局の複数のセルで構成され、Ｐセルを含むＣＧはマスタＣＧ（ＭＣＧ）と呼ばれ、Ｐセルを含まないＣＧはセカンダリＣＧ（ＳＣＧ）と呼ばれてもよい。
【００４２】
或いは、複数のセルは、上記ＴＡＧ及びＣＧとは異なるグループでグループ化されてもよい。例えば、複数のセルそれぞれのＴＰＣコマンド累積値をまとめてリセットするためのグループが新たに規定されてもよい。
【００４３】
図５は、第１態様に係るＴＰＣコマンド累積値のリセット例の説明図である。なお、図５では、複数のセルがＴＡＧでグループ化される場合を説明するが、これに限られない。上述のように、複数のセルは、ＣＧでグループ化されてもよいし、ＴＡＧ及びＣＧとは異なるグループでグループ化されてもよい。
【００４４】
図５に示すように、ユーザ端末は、グループ化された複数のセルのいずれかでリセット条件が満たされるか否かを判定する（ステップＳ１０１）。グループ化された複数のセルのいずれかでリセット条件が満たされる場合（ステップＳ１０１；Ｙｅｓ）、当該複数のセル全てのＴＰＣコマンド累積値をリセットする（ステップＳ１０２）。
【００４５】
例えば、図４のｐＴＡＧ内のＰセルで上述の第１又は第２リセット条件が満たされる場合、ユーザ端末は、ｐＴＡＧ内のＰセル及び２つのＳセルのＴＰＣコマンド累積値をまとめてリセットする。また、図４のｓＴＡＧ内の一方のＳセルで上述の第１又は第２リセット条件が満たされる場合、ユーザ端末は、ｓＴＡＧ内の双方のＳセルのＴＰＣコマンド累積値をまとめてリセットする。
【００４６】
なお、リセット条件としては、上述の第１又は第２リセット条件を例示したが、これに限られない。例えば、後述する第３−８リセット条件（第２態様）を用いることも可能である。
【００４７】
このように、第１態様に係る無線通信方法では、グループ化された複数のセルのいずれかのセルにおいてリセット条件が満たされる場合、当該複数のセル全てのＴＰＣコマンド累積値がリセットされる。すなわち、ＴＰＣコマンド累積値のリセットは、セル毎ではなく、ＴＡＧ毎に行われる。このため、セル毎にＴＰＣコマンド累積値をリセットする場合（図４）と比較して、複数のセルのＴＰＣコマンド累積値のリセット手順を簡略でき、シグナリング及び遅延時間を削減できる。
【００４８】
（第２態様）
図６を参照し、第２態様に係る無線通信方法を説明する。第２態様では、上記第１及び第２リセット条件以外のリセット条件について説明する。上記第１及び第２リセット条件では、ＲＲＣシグナリングやランダムアクセス手順が必要となるため、第１及び第２リセット条件を満たすための処理が複雑化する。このため、より簡便に利用可能なリセット条件の導入が望まれる。以下では、上記第１及び第２リセット条件よりも簡便に利用可能な第３−８リセット条件を説明する。
【００４９】
なお、後述する第３−８リセット条件は、単一のセルのＴＰＣコマンド累積値をリセットする場合に用いられてもよいし、グループ化された複数のセルのＴＰＣコマンド累積値をまとめてリセットする場合に用いられてもよい。前者の場合、あるセルにおいて第３−８リセット条件のいずれかが満たされる場合、当該あるセルのＴＰＣコマンド累積値がリセットされる。後者の場合、グループ化された複数のセルのいずれかのセルにおいて第３−８リセット条件のいずれかが満たされる場合、当該複数のセル全てのＴＰＣコマンド累積値がリセットされる。
【００５０】
また、第３−７リセット条件は、周波数分割複信（ＦＤＤ：Frequency  Division  Duplex）方式が用いられるセル、時分割複信（ＴＤＤ：Time  Division  Duplex）方式が用いられるセルの双方において適用可能である。第８リセット条件は、ＴＤＤ方式が用いられるセルにおいて適用可能である。
【００５１】
＜第３リセット条件＞
第３リセット条件は、ユーザ端末がＴＰＣコマンド累積値のリセットを指示する指示情報（以下、リセット指示情報という）を含むＭＡＣ制御要素（ＭＡＣ  ＣＥ：Medium  Access  Control  Control  Element）を受信した場合に、満たされる。ＭＡＣ制御要素は、ＭＡＣレイヤでの制御に用いられる制御情報である。
【００５２】
第３リセット条件では、リセット指示情報を含むＭＡＣ制御要素が、無線基地局からユーザ端末にシグナリングされる。ユーザ端末は、リセット指示情報を含むＭＡＣ制御要素を受信した場合、ＴＰＣコマンド累積値をリセットする。
【００５３】
第３リセット条件では、ＴＰＣコマンド累積値のリセット用のＭＡＣ制御要素により、ＭＡＣレイヤの制御でＴＰＣコマンド累積値がリセットされる。このため、第１及び第２リセット条件よりも、低遅延かつ低オーバヘッドで、ＴＰＣコマンド累積値をリセットできる。
【００５４】
＜第４リセット条件＞
第４リセット条件は、タイミングアドバンス（ＴＡ）コマンドが示す送信タイミング値が所定条件を満たす（例えば、所定の閾値を超える、所定の閾値以上である）場合に、満たされる。ＴＡコマンドは、上りチャネルの送信タイミング値を示すコマンドであり、ＭＡＣ制御要素に含まれる。ＴＡコマンドは、無線基地局からユーザ端末に対してＭＡＣレイヤでシグナリングされる。
【００５５】
図６は、ＴＡコマンドが示す送信タイミング値（以下、ＴＡ値という）の説明図である。図６Ａでは、ユーザ端末＃１がセルの中央に位置し、ユーザ端末＃２がセル端に位置する場合が示される。図６Ｂでは、図６Ａに示す場合におけるユーザ端末＃１及び＃２のＴＡ値が示される。ここで、ＴＡ値とは、上りチャネルを所望のタイミングに無線基地局に到着させるために、上りチャネルの送信タイミングを遡らせる時間である。
【００５６】
図６Ｂに示すように、無線基地局からユーザ端末＃１に通知されるＴＡコマンドは、下りの伝送遅延時間（ＤＬ１）の２倍のＴＡ値（＝２ＤＬ１）を示す。ユーザ端末＃１は、下り受信タイミングからＴＡ値だけ遡った送信タイミングで上りチャネルを送信する。同様に、無線基地局からユーザ端末＃２に通知されるＴＡコマンドは、下りの伝送遅延時間（ＤＬ２）の２倍のＴＡ値（＝２ＤＬ２）を示す。ユーザ端末＃２は、下り受信タイミングからＴＡ値だけ遡った送信タイミングで上りチャネルを送信する。
【００５７】
図６Ｂに示す場合、下りの伝送遅延時間と略等しいと推定される上りの伝搬遅延時間により、ユーザ端末＃１及び＃２からの上りチャネルが等しいタイミングで無線基地局に到着する。このように、無線基地局は、ＴＡ値を指定することにより、異なる位置の複数のユーザ端末からの上りチャネルの受信タイミングを揃えることができる。
【００５８】
ここで、ＴＡ値が所定の閾値を超える場合、ユーザ端末と無線基地局との間の位置関係が変化し、ユーザ端末からの上りチャネルの送信電力も変動すると推定される。そこで、ＴＡ値が所定の閾値を超える場合、ユーザ端末は、ＴＰＣコマンド累積値をリセットする。これにより、送信電力の変動タイミングにおいてＴＰＣコマンド累積値をリセットできるので、シグナリング量を低減できる。
【００５９】
以上のように、第４リセット条件では、ＭＡＣ制御要素に含まれるＴＡコマンドが示すＴＡ値に基づいて、ＭＡＣレイヤの制御でＴＰＣコマンド累積値がリセットされる。このため、ＴＰＣコマンド累積値のリセット専用のシグナリングを行う必要がなく、シグナリング量を低減できる。
【００６０】
＜第５リセット条件＞
第５リセット条件は、ＳセルのＴＡタイマが満了する場合に、満たされる。ＴＡタイマ（Timing  Advance  timer）は、上記ＴＡコマンドを含むＭＡＣ制御要素が受信されない時間を計測するタイマである。ＴＡタイマが満了すると（ＴＡタイマによって計測される時間が所定時間以上継続すると）、ユーザ端末用に確保された上りリソースが解放され、上りチャネルの送信が停止される。なお、ＴＡタイマは、上記ＴＡコマンドを受信する毎に開始される（初期化される）。
【００６１】
ＳセルのＴＡタイマが満了すると、ユーザ端末は、当該Ｓセルでの上りチャネルの送信を停止するので、上りチャネルの送信電力制御が不要となる。そこで、ＳセルのＴＡタイマが満了する場合、ユーザ端末は、当該ＳセルのＴＰＣコマンド累積値をリセットする。これにより、Ｓセルでの上りチャネルの送信を停止するタイミングにおいてＴＰＣコマンド累積値をリセットできるので、シグナリング量を低減できる。
【００６２】
以上のように、第５リセット条件では、ＴＡタイマが満了すると、ＭＡＣレイヤの制御でＴＰＣコマンド累積値がリセットされる。このため、無線基地局とユーザ端末との間のシグナリングを行う必要がなく、シグナリング量を低減できる。
【００６３】
＜第６リセット条件＞
第６リセット条件は、Ｓセルの非アクティブ化（De-activate）を指示する指示情報（以下、非アクティブ化指示情報という）をユーザ端末が受信した場合に、満たされる。非アクティブ化指示情報は、ＭＡＣ制御要素に含まれ、無線基地局からユーザ端末に対してＭＡＣレイヤでシグナリングされる。
【００６４】
ユーザ端末は、Ｓセルの非アクティブ化指示情報を受信した場合、当該Ｓセルでの上りチャネルの送信を停止するので、上りチャネルの送信電力制御が不要となる。そこで、Ｓセルの非アクティブ化指示情報を受信した場合、ユーザ端末は、当該ＳセルのＴＰＣコマンド累積値をリセットする。これにより、Ｓセルでの上りチャネルの送信を停止するタイミングにおいてＴＰＣコマンド累積値をリセットできるので、シグナリング量を低減できる。
【００６５】
以上のように、第６リセット条件では、非アクティブ化指示情報を含むＭＡＣ制御要素が受信された場合に、ＭＡＣレイヤの制御でＴＰＣコマンド累積値がリセットされる。このため、ＴＰＣコマンド累積値のリセット専用のシグナリングを行う必要がなく、シグナリング量を低減できる。
【００６６】
＜第７リセット条件＞
第７リセット条件は、ユーザ端末がＤＣＩフォーマット３又は３Ａ（以下、ＤＣＩフォーマット３／３Ａという）を受信した場合に、満たされる。ＤＣＩフォーマット３／３Ａは、ＰＵＣＣＨ及びＰＵＳＣＨのＴＰＣコマンドの送信に用いられるＤＣＩである。ＤＣＩフォーマット３は、２ビットのＴＰＣコマンドを含み、ＤＣＩフォーマット３Ａは、１ビットのＴＰＣコマンドを含む。ＤＣＩフォーマット３／３Ａは、下り制御チャネル（ＰＤＣＣＨやＥＰＤＣＣＨ）を用いて動的に通知される。
【００６７】
第７リセット条件において、ＴＰＣコマンド累積値のリセットは、黙示的に（implicitly）指示されてもよいし、明示的に（explicitly）指示されてもよい。黙示的に指示される場合、既存のＤＣＩフォーマット３／３Ａをトリガとして、ＴＰＣコマンド累積値がリセットされてもよい。明示的に指示される場合、ＤＣＩフォーマット３／３Ａは、ＴＰＣコマンドに加えて、ＴＰＣコマンド累積値のリセットを指示する指示情報を含んでもよい。
【００６８】
以上のように、第７リセット条件では、下り制御チャネル（ＰＤＣＣＨやＥＰＤＣＣＨ）で伝送されるＤＣＩフォーマット３／３Ａを用いて、物理レイヤの制御でＴＰＣコマンド累積値がリセットされる。このため、第１及び第２リセット条件、さらには第３、４、５、６リセット条件よりも低遅延（例えば、４ｍｓ程度の遅延）で、ＴＰＣコマンド累積値をリセットできる。
【００６９】
＜第８リセット条件＞
第８リセット条件は、時分割複信（ＴＤＤ）方式のセルにおいて、ＵＬ−ＤＬ構成（図７を参照して後述）の切り替えを指示する指示情報（以下、切り替え指示情報という）を受信した場合に、満たされる。切り替え指示情報は、下り制御チャネル（ＰＤＣＣＨやＥＰＤＣＣＨ）で伝送されるＤＣＩに含まれる。
【００７０】
ユーザ端末は、切り替え指示情報を含むＤＣＩの受信に応じて、ＵＬ−ＤＬ構成を切り替える。ＵＬ−ＤＬ構成を切り替える場合、セル間干渉が変動し、送信電力制御が変化する可能性が高い。そこで、ユーザ端末は、切り替え指示情報を含むＤＣＩが受信された場合、ＴＰＣコマンド累積値をリセットする。
【００７１】
以上のように、第８リセット条件では、ＴＤＤ方式のセルにおいて、ＵＬ−ＤＬ構成の切り替え指示情報が受信された場合に、物理レイヤの制御でＴＰＣコマンド累積値がリセットされる。このため、ＴＰＣコマンド累積値のリセット専用のシグナリングを行う必要がなく、シグナリング量を低減できる。
【００７２】
（第３態様）
図７−１２を参照し、第３態様に係る無線通信方法を説明する。第３態様では、ＴＤＤ方式のセルにおいて、無線フレーム内に設けられるサブフレームセット毎に送信電力制御を行う場合に、サブフレームセット毎のＴＰＣコマンド累積値をリセット可能とする。
【００７３】
なお、以下では、第３態様に係る無線通信方法を単一のセルに適用する場合について説明するが、複数のセルに適用する場合にも適用可能である。複数のセルに適用する場合、第１態様で説明したように、複数のセルのいずれかでリセット条件が満たされる場合、当該複数のセルのＴＰＣコマンド累積値をまとめてリセットすることも可能である。また、ＴＰＣコマンド累積値のリセット条件として、上述の第１及び第２リセット条件や、第２態様で説明した第３−８リセット条件を用いることが可能である。
【００７４】
図７は、ＴＤＤ方式におけるＵＬ−ＤＬ構成の説明図である。ＵＬ−ＤＬ構成（Uplink(UL)/Downlink(DL)  Configuration、以下、上り／下り構成ともいう）は、無線フレーム内における上りサブフレームと下りサブフレームとの構成（比率）を示す。例えば、図７では、上りサブフレームと下りサブフレームとの構成（比率）が異なる７つのＵＬ−ＤＬ構成０−６が示される。なお、図７に示すＵＬ−ＤＬ構成は例示にすぎず、これに限られない。
【００７５】
また、図７において、特別サブフレーム（Special  Subframe）とは、下りサブフレームと上りサブフレームとの切り替え用のサブフレームであり、下りのＯＦＤＭシンボルと、上りのＯＦＤＭシンボルと、ガード区間用のＯＦＤＭシンボルとを含む。ガード区間は、ユーザ端末が無線基地局のＴＡの指示に基づき、下りの受信タイミングに対して上りの送信タイミングを早めた場合に、下りと上りのシンボル間が重複しない（同時に発生しない）ようにするために設けられる。
【００７６】
一般に、セルにおける上り及び下りのトラヒックは、非対称であり、時間的、場所的などによって変動する。さらに将来、セル半径の小さなスモールセルが導入されれば、無線基地局が同時に通信するユーザ端末数が相対的に少なくなることから、要求される上り及び下りのトラヒック比がダイナックに変動するようになることが考えられる。このため、ＴＤＤを用いたセルでは、トラヒック適応ゲインを得るために、ダイナミックＴＤＤを導入することが検討されている。ダイナミックＴＤＤとは、図７に示すＵＬ−ＤＬ構成を動的に切り替える方法である。既存のＴＤＤ方式では、ＵＬ−ＤＬ構成は、無線基地局からＭＩＢやＳＩＢなどの報知情報やＲＲＣシグナリングなどの上位レイヤシグナリングなどによってユーザ端末に伝えられる。しかしこれらのシグナリングは切り替え遅延が大きく、オーバヘッドも大きくなるという問題がある。そこで、ダイナミックＴＤＤでは、ＭＡＣレイヤや物理レイヤ等、より下位層のシグナリングでＵＬ−ＤＬ構成を切り替える方法が検討されている。
【００７７】
一方、ダイナミックＴＤＤでは、隣接するセル（無線基地局）間で異なるＵＬ／ＤＬ構成が用いられる場合、当該セル間で伝送方向が異なるサブフレームにおいて、セル間干渉（Inter-cell  Interference）が発生することが想定される。したがって、当該セル間で伝送方向が同じサブフレームと異なるサブフレームとでは、異なる送信電力制御（特に、閉ループ制御）を行うことが検討されている。
【００７８】
図８は、ＴＤＤ方式における固定サブフレームとフレキシブルサブフレームとの説明図である。図８に示すように、固定サブフレーム（Fixed  Subframe）とは、ＵＬ−ＤＬ構成０−６間において伝送方向が等しいサブフレーム（サブフレーム種別（図８のＵ／Ｄ／Ｓ）が等しいサブフレーム）である。フレキシブルサブフレーム（Flexible  Subframe）とは、ＵＬ−ＤＬ構成０−６間において伝送方向が異なるサブフレーム（サブフレーム種別（図８のＵ／Ｄ／Ｓ）が異なるサブフレーム）である。
【００７９】
なお、図８における固定サブフレーム及びフレキシブルサブフレームの区分けは、例示にすぎず、これに限られない。例えば、特別サブフレームが、下りサブフレームとみなされる場合、サブフレーム６は固定サブフレームとして扱われてもよい。
【００８０】
図９は、ダイナミックＴＤＤにおけるセル間干渉の説明図である。図９Ａ及び９Ｂでは、固定サブフレームが示され、図９Ｃ及び図９Ｄでは、フレキシブルサブフレームが示される。
【００８１】
図９Ａでは、隣接する無線基地局１、２（セル１、２）間で、下り通信が行われる。図９Ａに示す場合、ユーザ端末１における無線基地局２からの下り干渉信号の影響は相対的に小さい。同様に、ユーザ端末２における無線基地局１からの下り干渉信号の影響は相対的に小さい。また、図９Ｂでは、隣接する無線基地局１、２（セル１、２）間で、上り通信が行われる。図９Ｂに示す場合、無線基地局１におけるユーザ端末２からの上り干渉信号の影響は相対的に小さい。同様に、無線基地局２におけるユーザ端末１からの上り干渉信号の影響は相対的に小さい。
【００８２】
一方、図９Ｃでは、無線基地局１（セル１）で下り通信が行われ、無線基地局２（セル２）で上り通信が行われる。一般に、下り通信で用いられる送信電力は上り通信で用いられる送信電力よりも大きい。このため、図９Ｃに示す場合、無線基地局２における無線基地局１からの下り干渉信号の影響は相対的に大きい。また、図９Ｄでは、無線基地局１（セル１）で上り通信が行われ、無線基地局２（セル２）で下り通信が行われる。図９Ｄに示す場合、無線基地局１における無線基地局２からの下り干渉信号の影響は相対的に大きい。
【００８３】
以上のように、図９Ｃ及び９Ｄに示すフレキシブルサブフレームでは、図９Ａ及び９Ｂに示す固定サブフレームと比較して、セル間干渉の影響が大きくなる。したがって、フレキシブルサブフレームと固定サブフレームとでは、異なる送信電力制御（特に、閉ループ制御）が望まれる。
【００８４】
そこで、ＴＤＤ方式のセルにおいてダイナミックＴＤＤを適用する場合、無線フレームを複数のサブフレームセットに分け、各サブフレームセットにおいて独立した送信電力制御（特に、閉ループ制御）が行う。図１０は、サブフレームセット毎の送信電力制御の説明図である。
【００８５】
なお、図１０では、２つのサブフレームセットを設ける場合を説明するが、サブフレームセット数は、２個に限られず、３個以上であってもよい。また、サブフレームセットは、固定／フレキシブルサブフレームで構成されるサブフレームセットに限られず、任意のサブフレームで構成されるサブフレームセット（例えば、図８のサブフレーム０−４で構成されるサブフレームセット、サブフレーム５−９で構成されるサブフレームなど）であってもよい。また、２つのサブフレームセットは、それぞれが必ずしも固定サブフレームとフレキシブルサブフレームに対応していなくともよい。例えば、上りを送信し得るサブフレームから、自由な組み合わせで第１サブフレームセットと第２サブフレームセットを選択できても良い。さらに、第１サブフレームセットと第２サブフレームセットは、重複（例えば第１サブフレームセットが第２サブフレームセットの全部または一部を包含（またはその逆））して設定できても良い。このようにすることで、ダイナミックＴＤＤ以外の、例えば基地局間協調（ＣｏＭＰ）通信などで用いることができる。簡単のため、以下では２つのサブフレームセットが固定サブフレームとフレキシブルサブフレームになるよう設定した場合について述べる。
【００８６】
図１０では、無線フレームが、固定サブフレーム（例えば、図８のサブフレーム０−２、５）で構成される固定サブフレームセット（第１サブフレームセット）と、フレキシブルサブフレーム（例えば、図８のサブフレーム３、４、６−９）で構成されるフレキシブルサブフレームセット（第２サブフレームセット）とに分けられる。この場合、固定サブフレームセット用のＴＰＣコマンド（以下、固定（fixed）用ＴＰＣコマンドという）と、フレキシブルサブフレームセット用のＴＰＣコマンド（以下、フレキシブル（flexible）用ＴＰＣコマンドという）とが設けられ、それぞれ独立した送信電力制御が行われる。
【００８７】
例えば、図１０Ａに示すように、固定サブフレームセットでは、無線基地局は、ユーザ端末に対して、固定（fixed）用ＴＰＣコマンドを含むＤＣＩを送信する。ユーザ端末は、固定用ＴＰＣコマンドが示す送信電力の増減値を、上記式（２）を用いて累積する。固定用ＴＰＣコマンドが示す増減値を蓄積した累積値（以下、固定用ＴＰＣコマンド累積値という）は、例えば、ｆｃ＿Ａ（ｉ）と示されてもよい。ユーザ端末は、固定用ＴＰＣコマンド累積値に基づいて、例えば、上記式（１）を用いて、固定サブフレームセットにおける上りチャネル（ＰＵＳＣＨ／ＰＵＣＣＨ）の送信電力を制御する。
【００８８】
また、図１０Ｂに示すように、フレキシブルサブフレームセットでは、無線基地局は、ユーザ端末に対して、フレキシブル（flexible）用ＴＰＣコマンドを含むＤＣＩを送信する。ユーザ端末は、フレキシブル用ＴＰＣコマンドが示す送信電力の増減値を、上記式（２）を用いて累積する。フレキシブル用ＴＰＣコマンドが示す増減値を蓄積した累積値（以下、固定用ＴＰＣコマンド累積値という）は、例えば、ｆｃ＿Ｂ（ｉ）と示されてもよい。ユーザ端末は、フレキシブル用ＴＰＣコマンド累積値に基づいて、例えば、上記式（１）を用いて、フレキシブルサブフレームセットにおける上りチャネル（ＰＵＳＣＨ／ＰＵＣＣＨ）の送信電力を制御する。
【００８９】
以上のように、サブフレームセット毎に送信電力制御が行われる場合、サブフレームセット毎に異なるＴＰＣコマンド累積値が用いられる。したがって、サブフレームセット毎のＴＰＣコマンド累積値をリセットする必要がある。
【００９０】
図１１は、サブフレームセット毎のＴＰＣコマンド累積値のリセット例の説明図である。なお、以下では、上述の固定サブフレームセットとフレキシブルサブフレームセットとが設けられる場合を説明するが、上記の通り、これに限られない。
【００９１】
図１１Ａでは、サブフレーム毎のＴＰＣコマンド累積値の第１リセット例が示される。図１１Ａに示すように、第１リセット例では、ユーザ端末は、固定サブフレームセット又はフレキシブルサブフレームセットのいずれかで、リセット条件が満たされるか否かを判定する（ステップＳ２０１）。リセット条件としては、上述の第１−第８リセット条件を用いることができる。
【００９２】
固定サブフレームセット又はフレキシブルサブフレームセットのいずれかで、リセット条件が満たされる場合（ステップＳ２０１；Ｙｅｓ）、ユーザ端末は、固定サブフレームセット及びフレキシブルサブフレームセットの双方のＴＰＣコマンド累積値をリセットする（ステップＳ２０２）。
【００９３】
このように、図１１Ａの第１リセット例では、いずれかのサブフレームセットでリセット条件が満たされる場合に、全サブフレームセットのＴＰＣコマンド累積値がリセットされる。このため、例えば、同期ずれや通信再開などがいずれかのサブフレームセットで生じた場合（例えば、上記第２リセット条件がいずれかのサブフレームセットで満たされる場合）、各サブフレームセットの送信電力を適切に行うことができる。
【００９４】
図１１Ｂでは、サブフレーム毎のＴＰＣコマンド累積値の第２リセット例が示される。図１１Ｂに示すように、第２リセット例では、ユーザ端末は、固定サブフレームセット又はフレキシブルサブフレームセットのいずれかで、リセット条件が満たされるか否かを判定する（ステップＳ３０１）。リセット条件としては、上述の第１−第８リセット条件を用いることができるが、上記第１リセット条件が好適である。
【００９５】
固定サブフレームセット又はフレキシブルサブフレームセットのいずれかで、リセット条件が満たされる場合（ステップＳ３０１；Ｙｅｓ）、ユーザ端末は、リセット条件が満たされるサブフレームセットのＴＰＣコマンド累積値をリセットする（ステップＳ３０２）。
【００９６】
このように、図１１Ｂの第２リセット例では、いずれかのサブフレームセットでリセット条件が満たされる場合に、リセット条件が満たされるサブフレームセットのＴＰＣコマンド累積値がリセットされる。このため、影響がないサブフレームセットのＴＰＣコマンド累積値は、リセットされずに維持され、無駄な処理を防止できる。
【００９７】
図１２は、サブフレームセット毎のＴＰＣコマンド累積値の他のリセット例の説明図である。図１２では、サブフレームセット毎に異なるリセット条件が用いられる。例えば、固定サブフレームセットにおいては、上述の第１又は第２リセット条件が用いられ、フレキシブサブフレームセットにおいては、上述の第８リセット条件が用いられてもよい。
【００９８】
図１２に示すように、ユーザ端末は、第８リセット条件が満たされるか（すなわち、ＵＬ−ＤＬ構成の切り替え指示情報を受信したか否か）を判定する（ステップＳ４０１）。第８リセット条件が満たされる場合（ステップＳ４０１；Ｙｅｓ）、ユーザ端末は、フレキシブルサブフレームセットのＴＰＣコマンド累積値をリセットする（ステップＳ４０２）。
【００９９】
図１２では、ＵＬ−ＤＬ構成の切り替えが指示された場合に、固定サブフレームセットのＴＰＣコマンド累積値をリセットせずに、フレキシブルサブフレームセットのＴＰＣコマンド累積値だけがリセットされる。このため、ＵＬ−ＤＬ構成の切り替えの影響のない固定サブフレームセットにおいて、ＴＰＣコマンド累積値がリセットされてしまうのを防止できる。
【０１００】
以上の第３態様に係る無線通信方法では、サブフレーム毎に送信電力制御を行う場合にも、ＴＰＣコマンド累積値を適切にリセットできる。
【０１０１】
なお、図１１、１２では、サブフレームセットのＴＰＣコマンド累積値は、初期値（例えば、０）にリセットされるものとして説明したが、これに限られない。例えば、固定サブフレームセットのＴＰＣコマンド累積値は、初期値にリセットされる一方、フレキシブルサブフレームセットのＴＰＣコマンド累積値は、固定サブフレームセットのＴＰＣコマンド累積値に置き換えられてもよい。
【０１０２】
この場合、固定サブフレームセットの上りチャネルの送信電力をベースラインとしてフレキシブルサブフレームセットの上りチャネルの送信電力を制御でき、フレキシブルサブフレームセットにおいてよりアグレッシブな送信電力制御を行うことができる。具体的には、図９Ｃ及び９Ｄで示したように隣接セルから相対的に大きな干渉がある可能性を考慮し、固定サブフレームに対してより大きな送信電力となるよう制御することが考えられる。また、フレキシブルサブフレームセットの送信電力が過剰になったり不足したりする場合には、リセット指示により、固定サブフレームセットの送信電力に戻すこともできる。フレキシブルサブフレームでは、前記のようにより大きな送信電力となるよう制御される可能性が高いことから、簡便な累積値リセット条件を導入することで、不要な隣接セル干渉を減らす効果も得られる。また、リセット指示でフレキシブルサブフレームセットのＴＰＣコマンド累積値を固定サブフレームセットのＴＰＣコマンド累積値で置き換える場合、リセット後の送信電力を固定サブフレームの適正なＴＰＣコマンド累積値に置き換えるだけなので、０に置き換えた場合に比べて通信の継続が容易になる。
【０１０３】
（無線通信システムの構成）
以下、本実施の形態に係る無線通信システムの構成について説明する。この無線通信システムでは、上述の第１−３態様に係る無線通信方法が適用される。なお、第１−３態様に係る無線通信方法は、組み合わせて適用されてもよいし、単独で適用されてもよい。
【０１０４】
図１３は、本実施の形態に係る無線通信システムの概略構成図である。図１３に示すように、無線通信システム１は、マクロセルＣ１を形成するマクロ基地局１１と、マクロセルＣ１内に配置され、マクロセルＣ１よりも狭いスモールセルＣ２を形成するスモール基地局１２ａ及び１２ｂとを備えている。ユーザ端末２０は、マクロ基地局１１、スモール基地局１２ａ及び１２ｂ（以下、総称してスモール基地局１２という）の少なくとも一つと無線通信可能に構成されている。なお、マクロ基地局１１、スモール基地局１２の数は、図１３に示す数に限られない。
【０１０５】
マクロセルＣ１及びスモールセルＣ２では、同一の周波数帯が用いられてもよいし、異なる周波数帯が用いられてもよい。また、マクロ基地局１１及び各スモール基地局１２は、光ファイバなどの相対的に高速の回線（ideal  backhaul）で接続されてもよいし、Ｘ２インタフェースなど相対的に低速の回線（non-ideal backhaul）で接続されてもよい。
【０１０６】
高速の回線で接続される場合、マクロ基地局１１の少なくとも１つのＣＣとスモール基地局１２の少なくとも１つのＣＣを統合する基地局内キャリアアグリゲーション（intra-eNB  CAなど）が行われてもよい。低速の回線で接続される場合、マクロ基地局１１の少なくとも１つのＣＣとスモール基地局１２の少なくとも１つのＣＣとの間で基地局間キャリアアグリゲーション（inter-eNB  CA、Inter-site  CAなど）が行われてもよい。なお、ＣＣは、セル、周波数帯などと呼ばれてもよい。
【０１０７】
また、マクロ基地局１１及び各スモール基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）等が含まれるが、これに限定されるものではない。
【０１０８】
なお、マクロ基地局１１は、相対的に広いカバレッジを有する無線基地局であり、ｅＮｏｄｅＢ（ｅＮＢ）、無線基地局、送信ポイント（transmission  point）などと呼ばれてもよい。スモール基地局１２は、局所的なカバレッジを有する無線基地局であり、ＲＲＨ（Remote  Radio  Head）、ピコ基地局、フェムト基地局、Ｈｏｍｅ  ｅＮｏｄｅＢ、送信ポイント、ｅＮｏｄｅＢ（ｅＮＢ）などと呼ばれてもよい。ユーザ端末２０は、ＬＴＥ、ＬＴＥ−Ａなどの各種通信方式に対応した端末であり、移動通信端末だけでなく固定通信端末を含んでよい。
【０１０９】
無線通信システム１では、複信方式として、周波数分割複信（ＦＤＤ）又は／及び時間分割複信（ＴＤＤ）方式が適用される。また、ＴＤＤ方式が適用される場合、無線フレーム内における上りサブフレームと下りサブフレームとの構成（比率）を示すＵＬ−ＤＬ構成（図７参照）が用いられる。
【０１１０】
また、無線通信システム１では、無線アクセス方式として、下りリンクについてはＯＦＤＭＡ（直交周波数分割多元接続）が適用され、上りリンクについてはＳＣ−ＦＤＭＡ（シングルキャリア−周波数分割多元接続）が適用される。
【０１１１】
また、無線通信システム１では、下りリンクの通信チャネルとして、各ユーザ端末２０で共有される下り共有チャネル（ＰＤＳＣＨ：Physical Downlink Shared Channel）と、下り制御チャネル（ＰＤＣＣＨ：Physical  Downlink  Control  Channel）、ＥＰＤＣＣＨ：Enhanced  Physical  Downlink  Control  Channel）、ＰＣＦＩＣＨ、ＰＨＩＣＨ、報知チャネル（ＰＢＣＨ）などが用いられる。ＰＤＳＣＨにより、ユーザデータや上位レイヤ制御情報が伝送される。ＰＤＣＣＨ、ＥＰＤＣＣＨにより、下り制御情報（ＤＣＩ）が伝送される。
【０１１２】
また、無線通信システム１では、上りリンクの通信チャネルとして、各ユーザ端末２０で共有される上り共有チャネル（ＰＵＳＣＨ：Physical  Uplink  Shared  Channel）と、上り制御チャネル（ＰＵＣＣＨ：Physical  Uplink  Control  Channel）などが用いられる。ＰＵＳＣＨにより、ユーザデータや上位レイヤ制御情報が伝送される。また、ＰＵＣＣＨにより、下りリンクの無線品質情報（ＣＱＩ：Channel  Quality  Indicator）や、送達確認情報（ＡＣＫ/ＮＡＣＫ）等が伝送される。
【０１１３】
以下、マクロ基地局１１及びスモール基地局１２を区別しない場合、無線基地局１０と総称する。なお、第１−第３態様に係る無線通信方法は、単一又は複数のマクロ基地局１１で適用されてもよいし、単一又は複数のスモール基地局１２で適用されてもよいし、マクロ基地局１１とスモール基地局１２との間で適用されてもよい。
【０１１４】
図１４及び１５を参照し、本実施の形態に係る無線基地局１０及びユーザ端末２０の全体概略構成を説明する。図１４は、本実施の形態に係る無線基地局１０の全体構成図である。無線基地局１０は、ＭＩＭＯ伝送のための複数の送受信アンテナ１０１と、アンプ部１０２と、送受信部１０３（送信部、受信部）と、ベースバンド信号処理部１０４と、呼処理部１０５と、伝送路インタフェース１０６とを備えている。
【０１１５】
下りリンクにより無線基地局１０からユーザ端末２０に送信されるユーザデータは、上位局装置３０から伝送路インタフェース１０６を介してベースバンド信号処理部１０４に入力される。
【０１１６】
ベースバンド信号処理部１０４では、ＰＤＣＰレイヤの処理、ユーザデータの分割・結合、ＲＬＣ（Radio  Link  Control）再送制御の送信処理などのＲＬＣレイヤの送信処理、ＭＡＣ（Medium  Access  Control）再送制御、例えば、ＨＡＲＱの送信処理、スケジューリング、伝送フォーマット選択、チャネル符号化、逆高速フーリエ変換（ＩＦＦＴ：Inverse  Fast  Fourier  Transform）処理、プリコーディング処理が行われて各送受信部１０３に転送される。また、下り制御信号に関しても、チャネル符号化や逆高速フーリエ変換等の送信処理が行われて、各送受信部１０３に転送される。
【０１１７】
各送受信部１０３は、ベースバンド信号処理部１０４からアンテナ毎にプリコーディングして出力された下り信号を無線周波数帯に変換する。アンプ部１０２は、周波数変換された無線周波数信号を増幅して送受信アンテナ１０１により送信する。
【０１１８】
一方、上り信号については、各送受信アンテナ１０１で受信された無線周波数信号がそれぞれアンプ部１０２で増幅され、各送受信部１０３で周波数変換されてベースバンド信号に変換され、ベースバンド信号処理部１０４に入力される。
【０１１９】
ベースバンド信号処理部１０４では、入力された上り信号に含まれるユーザデータに対して、ＦＦＴ処理、ＩＤＦＴ処理、誤り訂正復号、ＭＡＣ再送制御の受信処理、ＲＬＣレイヤ、ＰＤＣＰレイヤの受信処理がなされ、伝送路インタフェース１０６を介して上位局装置３０に転送される。呼処理部１０５は、通信チャネルの設定や解放等の呼処理や、無線基地局１０の状態管理や、無線リソースの管理を行う。
【０１２０】
図１５は、本実施の形態に係るユーザ端末２０の全体構成図である。ユーザ端末２０は、ＭＩＭＯ伝送のための複数の送受信アンテナ２０１と、アンプ部２０２と、送受信部２０３（送信部、受信部）と、ベースバンド信号処理部２０４と、アプリケーション部２０５とを備えている。なお、ユーザ端末２０は、１つの受信回路（ＲＦ回路）により、受信周波数を切り替えてもよいし、複数の受信回路を有していてもよい。
【０１２１】
下り信号については、複数の送受信アンテナ２０１で受信された無線周波数信号がそれぞれアンプ部２０２で増幅され、送受信部２０３で周波数変換され、ベースバンド信号処理部２０４に入力される。ベースバンド信号処理部２０４では、ＦＦＴ処理や、誤り訂正復号、再送制御の受信処理等がなされる。この下り信号に含まれるユーザデータは、アプリケーション部２０５に転送される。アプリケーション部２０５は、物理レイヤやＭＡＣレイヤより上位のレイヤに関する処理等を行う。また、下りリンクのデータの内、報知情報もアプリケーション部２０５に転送される。
【０１２２】
一方、上りリンクのユーザデータについては、アプリケーション部２０５からベースバンド信号処理部２０４に入力される。ベースバンド信号処理部２０４では、再送制御（Ｈ−ＡＲＱ（Ｈｙｂｒｉｄ  ＡＲＱ））の送信処理や、チャネル符号化、プリコーディング、ＤＦＴ処理、ＩＦＦＴ処理等が行われて各送受信部２０３に転送される。送受信部２０３は、ベースバンド信号処理部２０４から出力されたベースバンド信号を無線周波数に変換する。その後、アンプ部２０２は、周波数変換された無線周波数信号を増幅して送受信アンテナ２０１により送信する。
【０１２３】
次に、図１６、１７を参照し、無線基地局１０及びユーザ端末２０の詳細構成について説明する。図１６に示す無線基地局１０の詳細構成は、主に、ベースバンド信号処理部１０４によって構成される。また、図１７に示すユーザ端末２０の詳細構成は、主に、ベースバンド信号処理部２０４によって構成される。
【０１２４】
図１６は、本実施の形態に係る無線基地局１０の詳細構成図である。図１６に示すように、無線基地局１０は、測定部３０１、ＴＰＣコマンド生成部３０２、ＤＣＩ生成部３０３、ＲＲＣメッセージ生成部３０４、ＭＡＣ  ＣＥ生成部３０５、リセット制御部３０６を具備する。
【０１２５】
測定部３０１は、ユーザ端末からの上り信号の受信品質（例えば、ＲＳＲＱ：Reference  Signal  Received  Quality）を測定する。複数のセル（ＣＣ）が設けられる場合、測定部３０１は、セル毎に上り信号の受信品質を測定してもよい。測定部３０１は、測定結果をＴＰＣコマンド生成部３０２に出力する。
【０１２６】
ＴＰＣコマンド生成部３０２は、測定部３０１による測定結果に基づいて、閉ループ制御に用いられるＴＰＣコマンドを生成する。具体的には、上りチャネル（ＰＵＳＣＨ又はＰＵＣＣＨ）の送信電力の増減値を示すＴＰＣコマンドを生成する（図２参照）。ＴＰＣコマンド生成部３０２は、生成したＴＰＣコマンドをＤＣＩ生成部３０３に出力する。また、累積モードにおいて、ＴＰＣコマンド生成部３０２は、ＴＰＣコマンド累積値に基づいてＴＰＣコマンドを生成してもよい。
【０１２７】
ＤＣＩ生成部３０３は、下り制御情報（ＤＣＩ）を生成し、送受信部１０３に出力する。送受信部１０３に出力されたＤＣＩは、下り制御チャネル（ＰＤＣＣＨ又はＥＰＤＣＣＨ）により、ユーザ端末２０に送信される。
【０１２８】
具体的には、ＤＣＩ生成部３０３は、ＴＰＣコマンド生成部３０２で生成されたＴＰＣコマンドを含むＤＣＩを生成する。ＰＵＳＣＨ用のＴＰＣコマンドの場合、ＤＣＩ生成部３０３は、例えば、ＤＣＩフォーマット０／４、３／３Ａを生成してもよい。ＰＵＣＣＨ用のＴＰＣコマンドの場合、ＤＣＩ生成部３０３は、例えば、ＤＣＩフォーマット１／１Ａ／１Ｂ／１Ｃ／２Ａ／２Ｂ／２Ｃ／２Ｄ、３／３Ａを生成してもよい。
【０１２９】
また、ＤＣＩ生成部３０３は、後述するリセット制御部３０６の指示に基づいて、ＴＰＣコマンド累積値のリセットを指示するＤＣＩフォーマット３／３Ａを生成してもよい（第７リセット条件参照）。
【０１３０】
また、ＤＣＩ生成部３０３は、ＴＤＤ方式を用いる場合、ＵＬ−ＤＬ構成の切り替え指示情報を含むＤＣＩを生成してもよい（第８リセット条件参照）。
【０１３１】
ＲＲＣメッセージ生成部３０４は、ＲＲＣレイヤのメッセージ（以下、ＲＲＣメッセージという）を生成し、送受信部１０３に出力する。送受信部１０３に出力されたＲＲＣメッセージは、下り共有チャネル（ＰＤＳＣＨ）により、ユーザ端末２０に送信される。
【０１３２】
具体的には、ＲＲＣメッセージ生成部３０４は、送信電力制御に用いられるパラメータを含むＲＲＣメッセージを生成する。当該パラメータには、例えば、送信電力オフセット（例えば、ＰＵＳＣＨの場合、上記式（１）のＰＯ＿ＰＵＳＣＨ,ｃ、ＰＵＣＣＨの場合、ＰＯ＿ＵＥ＿ＰＵＣＣＨ）や、開ループ制御に用いられる係数αなどが含まれてもよい。
【０１３３】
また、ＲＲＣメッセージ生成部３０４は、後述するリセット制御部３０６の指示に基づいて、送信電力オフセットの変更を指示するＲＲＣメッセージを生成してもよい。
【０１３４】
ＭＡＣ  ＣＥ生成部３０５は、ＭＡＣレイヤでシグナリングされるＭＡＣ制御要素（ＭＡＣ  ＣＥ）を生成し、送受信部１０３に出力する。送受信部１０３に出力されたＭＡＣ  ＣＥは、ＭＡＣシグナリングにより、ユーザ端末２０に送信される。
【０１３５】
具体的には、ＭＡＣ  ＣＥ生成部３０５は、後述するリセット制御部３０６の指示に基づいて、ＴＰＣコマンドの累積値のリセット指示情報を含むＭＡＣ  ＣＥを生成してもよい（第３リセット条件参照）。
【０１３６】
また、ＭＡＣ  ＣＥ生成部３０５は、タイミングアドバンス（ＴＡ）コマンドを含むＭＡＣ  ＣＥを生成してもよい（図６参照）。なお、ＴＡコマンドが示す送信タイミング値（ＴＡ値）は、上述の第４リセット条件で用いられる。また、ＴＡコマンドが受信されない期間は、ユーザ端末のＴＡタイマで計測される。このＴＡタイマは、上述の第５リセット条件で用いられる。
【０１３７】
また、ＭＡＣ  ＣＥ生成部３０５は、Ｓセルの非アクティブ化（De-activate）を指示する非アクティブ化指示情報を含むＭＡＣ  ＣＥを生成してもよい（第６リセット条件参照）。
【０１３８】
リセット制御部３０６は、ＴＰＣコマンド累積値のリセットを制御する。具体的には、リセット制御部３０６は、ＴＰＣコマンド累積値のリセット条件となるＤＣＩ、ＭＡＣ  ＣＥ、ＲＲＣメッセージをそれぞれ生成するように、ＤＣＩ生成部３０３、ＭＡＣ  ＣＥ生成部３０５、ＲＲＣメッセージ生成部３０４に指示する。
【０１３９】
また、リセット制御部３０６は、ＴＰＣコマンド生成部３０２において累積されるＴＰＣコマンド累積値をリセットするように指示する。
【０１４０】
図１７は、本実施の形態に係るユーザ端末２０の詳細構成図である。図１７に示すように、ユーザ端末２０は、送信電力制御部４０１、ＤＣＩ取得部４０２、ＭＡＣ  ＣＥ取得部４０３、ＲＲＣメッセージ取得部４０４、リセット部４０５（制御部）を具備する。
【０１４１】
送信電力制御部４０１は、上りチャネル（ＰＵＣＣＨ又はＰＵＳＣＨ）の送信電力を制御（開ループ制御、閉ループ制御）する。具体的には、送信電力制御部４０１は、累積モードにおいて、後述するＤＣＩ取得部４０２から入力されるＴＰＣコマンドが示す増減値を累積してＴＰＣコマンド累積値を算出する。送信電力制御部４０１は、ＴＰＣコマンド累積値に基づいて送信電力を決定し、決定した送信電力で上りチャネルを送信するように、送受信部２０３に指示する。例えば、送信電力制御部４０１は、上記式（２）を用いてＴＰＣコマンド累積値を算出し、上記式（１）を用いてＰＵＳＣＨの送信電力を決定してもよい。
【０１４２】
ＤＣＩ取得部４０２は、下り制御チャネルにより無線基地局１０から伝送されたＤＣＩを取得する。具体的には、送受信部２０３は、下り制御チャネル（サーチスペース）をブラインド復号して、ＤＣＩを受信する。ＤＣＩ取得部４０２は、送受信部２０３によって受信されたＤＣＩを取得する。
【０１４３】
上述の通り、ＤＣＩには、ＴＰＣコマンドが含まれてもよい（ＤＣＩフォーマット０／４、３／３Ａ、１／１Ａ／１Ｂ／１Ｃ／２Ａ／２Ｂ／２Ｃ／２Ｄ）。また、ＴＰＣコマンドのリセット指示情報が含まれてもよい。
【０１４４】
ＭＡＣ  ＣＥ取得部４０３は、ＭＡＣシグナリングにより無線基地局１０から伝送されたＭＡＣ  ＣＥを取得する。具体的には、送受信部２０３は、ＭＡＣシグナリングされたＭＡＣ  ＰＤＵを復号して、ＭＡＣ  ＰＤＵに含まれるＭＡＣ  ＣＥを受信する。ＭＡＣ  ＣＥ取得部４０３は、送受信部２０３によって受信されたＭＡＣ  ＣＥを取得する。
【０１４５】
上述の通り、ＭＡＣ  ＣＥには、ＴＰＣコマンドの累積値のリセット指示情報が含まれてもよいし（第３リセット条件参照）、ＴＡコマンドが含まれてもよいし（第４リセット条件参照）、Ｓセルの非アクティブ化（De-activate）を指示する非アクティブ化指示情報が含まれてもよい（第６リセット条件参照）。
【０１４６】
ＲＲＣメッセージ取得部４０４は、ＲＲＣシグナリングにより無線基地局１０から伝送されたＲＲＣメッセージを取得する。具体的には、送受信部２０３は、ＲＲＣシグナリングされたＲＲＣメッセージを復号して、受信する。ＲＲＣメッセージ取得部４０４は、送受信部２０３によって受信されたＲＲＣメッセージを取得する。
【０１４７】
上述の通り、ＲＲＣメッセージは、送信電力オフセット（例えば、ＰＵＳＣＨの場合、上記式（１）のＰＯ＿ＰＵＳＣＨ,ｃ、ＰＵＣＣＨの場合、ＰＯ＿ＵＥ＿ＰＵＣＣＨ）などを含んでもよいし、当該送信電力オフセットの変更を指示する変更指示情報を含んでもよい。
【０１４８】
リセット部４０５は、送信電力制御部４０１で用いられるＴＰＣコマンド累積値のリセット条件が満たされたか否かを判定し、リセット条件が満たされた場合、上記ＴＰＣコマンド累積値をリセットする。リセット条件は、上述の第１−８リセット条件（第２態様参照）を用いることができる。
【０１４９】
具体的には、リセット部４０５は、あるセルのリセット条件が満たされる場合、当該あるセルのＴＰＣコマンド累積値をリセットしてもよい。
【０１５０】
また、リセット部４０５は、グループ化された複数のセルのいずれかでリセット条件が満たされる場合、当該複数のセル全てのＴＰＣコマンド累積値をリセットしてもよい（第１態様参照）。この場合、複数のセルは、上述のＴＡＧでグループ化されてもよいし、ＣＧでグループ化されてもよいし、ＴＡＧ又はＣＧ以外のグループでグループ化されてもよい。
【０１５１】
また、ダイナミックＴＤＤが適用されるセルにおいては、無線フレームに複数のサブフレームセットを設け、サブフレームセット毎に送信電力制御を行う（すなわち、サブフレーム毎のＴＰＣコマンド累積値を用いる）ことが可能である。サブフレームセットは、例えば、上述の固定サブフレームセットやフレキシブルサブフレームセットがこれに限られない。
【０１５２】
この場合、リセット部４０５は、複数のサブフレームセットのいずれかでリセット条件が満たされる場合、当該複数のサブフレームセット全てのＴＰＣコマンド累積値をリセットしてもよい（第３態様、図１１Ａ参照）。
【０１５３】
また、リセット部４０５は、複数のサブフレームセットのいずれかでリセット条件が満たされる場合、リセット条件が満たされたサブフレームセットのＴＰＣコマンド累積値をリセットしてもよい（第３態様、図１１Ｂ参照）。
【０１５４】
また、リセット部４０５は、サブフレームセット毎に異なるリセット条件を用いて、ＴＰＣコマンド累積値をリセットしてもよい。例えば、リセット部４０５は、上述の第１又は第２リセット条件が満たされる場合に、固定サブフレームセット用のＴＰＣコマンド累積値をリセットし、上述の第８リセット条件が満たされる場合に、フレキシブルサブフレームセット用のＴＰＣコマンド累積値をリセットしてもよい。
【０１５５】
本実施の形態に係る無線通信システム１によれば、ＴＰＣコマンド累積値の認識の不一致を解消させるために、ＴＰＣコマンド累積値をより簡便にリセットできる。具体的には、グループ化された複数のセルのいずれかでリセット条件が満たされる場合、当該複数のセル全てのＴＰＣコマンド累積値がリセットされるので、複数のセルのＴＰＣコマンド累積値のリセット処理を簡便化できる（第１態様）。
【０１５６】
また、第１及び第２リセット条件以外の第３−８リセット条件を用いることができるため、単一又は複数のセルにおけるＴＰＣコマンド累積値のリセット処理を簡便化できる（第２態様）。
【０１５７】
また、ダイナミックＴＤＤが適用されるセルにおいて、無線フレームに設けられるサブフレームセット毎に送信電力制御が行われる場合に、サブフレームセット毎のＴＰＣコマンド累積値のリセット処理を簡便化できる（第３態様）。
【０１５８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。また、各実施の態様は適宜組み合わせて適用することが可能である。
【符号の説明】
【０１５９】
１…無線通信システム、
１０…無線基地局
２０…ユーザ端末
３０…上位局装置
４０…コアネットワーク
１０１…送受信アンテナ
１０２…アンプ部
１０３…送受信部
１０４…ベースバンド信号処理部
１０５…呼処理部
１０６…伝送路インタフェース
２０１…送受信アンテナ
２０２…アンプ部
２０３…送受信部
２０４…ベースバンド信号処理部
２０５…アプリケーション部
３０１…測定部
３０２…ＴＰＣコマンド生成部
３０３…ＤＣＩ生成部
３０４…ＲＲＣメッセージ生成部
３０５…ＭＡＣ  ＣＥ生成部
３０６…リセット制御部
４０１…送信電力制御部
４０２…ＤＣＩ取得部
４０３…ＭＡＣ  ＣＥ取得部
４０４…ＲＲＣメッセージ取得部
４０５…リセット部
【図１】
0005980241.tif 000004
【図２】
0005980241.tif 000005
【図３】
0005980241.tif 000006
【図４】
0005980241.tif 000007
【図５】
0005980241.tif 000008
【図６】
0005980241.tif 000009
【図７】
0005980241.tif 000010
【図８】
0005980241.tif 000011
【図９】
0005980241.tif 000012
【図１０】
0005980241.tif 000013
【図１１】
0005980241.tif 000014
【図１２】
0005980241.tif 000015
【図１３】
0005980241.tif 000016
【図１４】
0005980241.tif 000017
【図１５】
0005980241.tif 000018
【図１６】
0005980241.tif 000019
【図１７】
0005980241.tif 000020